(57)【特許請求の範囲】
【請求項１】
取付板の一面にねじ軸を直立して装着した取付座と、ばね線を密着させて螺旋状に巻いた長手方向の中央部にたる形部を有する円筒コイルばねと、弾性体の緩衝作用方向にねじ軸を装着した緩衝体とから構成され、コイルばねの一端部に取付座のねじ軸を螺合させ、他端部に緩衝体のねじ軸を螺合させてなるばね式戸当り。
【発明の詳細な説明】
【０００１】
【発明の属する技術分野】
この発明は、建物や乗物などの扉を開けたとき、扉端部を緩衝させながら衝接するための戸当りに関する。
【０００２】
【従来の技術】
従来の戸当りとしては、立壁用戸当りと床付用戸当りとがあり、また一つの戸当りで兼用にしたものがある。
【０００３】
立壁用戸当りは立壁に対して垂直に取付け、その頭部に装着された弾性体の上面に扉が当たるようにして緩衝作用を行う。
【０００４】
床付用戸当りは床面に対して垂直に取付け、その頭部に装着された弾性体の側面に扉が当たるようにして緩衝作用を行う。
【０００５】
【発明が解決しようとする課題】
しかしながら床付用戸当りは床面の一部に突出しているから、床面を歩行する歩行者の足が戸当りに当ってつまづく恐れがある。最近の老齢者社会では特にその傾向が高く、けがの危険度が大きいという問題がある。
【０００６】
立壁用戸当りは歩行者のつまづきの危険は床付用戸当りに比較して小さいが、立壁から突出しているため、家具や電化製品を移動させるときにその一端を戸当りにぶつけて家具や電化製品を損傷させる恐れがある。
【０００７】
また、壁付近を歩行する人の衣服の裾や、紐、電線、布等が引っ掛かって躓いたり引っ掛かったものを破壊する恐れもある。
【０００８】
そこで、この発明は、衝突や引っ掛かりを自身の弾性変形によって緩衝或いは防止し、もって上記の問題点を解消させることを目的として提案されたものである。
【０００９】
【課題を解決するための手段】
上記の目的を達成するため、請求項１に記載の発明は、取付板の一面にねじ軸を直立して装着した取付座と、ばね線を密着させて螺旋状に巻いた長手方向の中央部にたる形部を有する円筒コイルばねと、弾性体の緩衝作用方向にねじ軸を装着した緩衝体とから構成され、コイルばねの一端部に取付座のねじ軸を螺合させ、他端部に緩衝体のねじ軸を螺合させてなる。
【００１０】
【発明の実施の形態】
以下、図面に示す実施例に基いて、この発明について説明する。
なお、説明の都合上、この発明の第１の実施例について先に説明する。
【００１１】
第１の実施例を示す図１及び図２において符号２０は取付座を示し、この取付座２０は、外形が例えば矩形の取付板２１の一面中央にねじ軸２２を植設してある。取付板２１には少くとも二つのねじ孔２１ａ、２１ａが開口しており、このねじ孔２１ａに挿通される取付ねじ２３により立壁２に強固に取付けられる。
【００１２】
上記ねじ軸２２は取付板２１に例えば螺合、溶接、カシメ付け等により植設するものとし、或いは素材から削り出し、塑性加工等により最初から一体に成形してもよい。
【００１３】
コイルばね３０は、例えばピアノ線、鋼線、りん青銅線等のばね線を実質的に密着させた状態で螺旋状に巻いて形成され、その外形は円筒状になっている。
【００１４】
上記構造のコイルばねは、軸心方向に圧力を加えたときには剛体としての剛性を呈するが、軸心方向から外れた方向に圧力を加えたときには、軸心方向に直角な分力により横方向に歪みを生じる。換言すれば、横向きの力が加わるとばねは容易に横方向に曲がることができる。
【００１５】
一方、緩衝体４０は、ゴム等の弾性材料からなる短円柱状の弾性体４１に同軸にねじ軸４２を結合してある。
【００１６】
ねじ軸４２は接着剤により弾性体に接着させてもよく、また、弾性体の加硫成形時にねじ軸４２の基部を埋設しておいて一体的に成形させてもよい。
【００１７】
上記コイルばね３０の一端には、図４に示すように、取付座２０のねじ軸２２が螺合され、他端には緩衝体４０のねじ軸４２が螺合されて図２に示すように床面１に直立した立壁２に取付けられる。
【００１８】
コイルばね３０の全長はねじ軸２２の長さとねじ軸４２の長さの和よりも充分長くなっており、したがってコイルばねの中央部には上記両ねじ軸が螺合されていない中空部分が残っている。
【００１９】
この状態で扉３が開けられて矢印方向に進行し、扉表面が緩衝体４０に衝接すると弾性体４１の弾性により衝接の際の衝撃が緩和される。
【００２０】
このとき、コイルばね３０には軸心方向の力が作用するが、コイルばねは前述したように剛体としての強度を有するため、取付座２０を介してこの力を立壁２に伝達する。
【００２１】
一方、図３に示すように運搬中の家具４が戸当りに横方向からあたったときには、戸当りには横方向の力が作用し、前述したようにコイルばね３０は横方向には容易に曲がることができるので、前述したコイルばねの中空部が横方向に屈曲して、衝接した家具に対して大きな抵抗力を呈しない。よって、家具４に損傷を与えない。
【００２２】
この発明の第２の実施例によるばね式戸当りは、上記第１の実施例によるばね式戸当りにおける「ばね線を密着されて螺旋状に巻いた円筒コイルばね」に代えて、「ばね線を密着させて螺旋状に巻いた長手方向の中央部にたる形部を有する円筒コイルばね」としたものであり、それ以外は全く同じである。
【００２３】
図５に示すように、この発明の第２の実施例によるばね式戸当りの円筒コイルばね３０は、その両端の円筒部３０ａ、３０ａと中央のたる形部３０ｂとを連設してなる。
【００２４】
円筒部３０ａのうちの一方には取付座２０のねじ軸２２が螺合され、他方には緩衝体４０のねじ軸４２が螺合され、中央部のたる形部３０ｂは中空になっている。
【００２５】
前述したように、コイルばね３０に使用されるばね線の直径はねじ軸のねじ山のピッチに等しく、又、コイル径はねじ軸のピッチ円形に略等しい。
【００２６】
従って第１の実施例によるばね式戸当りのように、たる形部を有しない円筒コイルばねにあってはコイルばねの弾性は一義的に決定され、ねじ軸の寸法に関係なく弾性を自由に選択することができない。
【００２７】
第２の実施例によるばね式戸当りのたる形部３０ｂを有する円筒コイルばねにあっては、たる形部の直径を大きくすることにより、ねじ軸の寸法に関係なく弾性を自由に大きくすることができるという長所がある。
【００２８】
又、たる形部は隣接するコイルの直径が漸次変化しており、隣接するばね線の接触部は軸心に平行なばね線の直径から外れているため輪ばねとしての機能を有し、軸心方向に外力が加わった場合にわずかながら弾性を呈する。
【００２９】
ここにおいて輪ばねとは多数の内輪と外輪とを軸心方向に積重ねてばねとしたもので、車輌等重荷重用のばねとして使用されているものを言う。
【００３０】
上記したことから、第２の実施例によるばね式戸当りにおいては、戸当り１０の軸心方向の衝撃力が加わったとき、弾性体４１の弾性とコイルばね３０のたる形部３０ｂのわずかな弾性により衝撃が緩和される。
【００３１】
また、戸当りに横方向の衝撃力が加わったときは、たる形部４０ｂのより大きな弾性により、この部分が容易に力の方向に屈曲して、衝接した家具類に損傷を与える恐れがない。
【００３２】
【発明の効果】
以上の説明から明らかなように、この発明のばね式戸当りは、戸当りの軸心に対して横方向に弾性を有しているので、立壁に取付けて使用すれば床面上に突出することなく、歩行者の歩行に障害とならず、又、家具等を移動する場合にその一端を衝接させた場合に戸当り先端部が容易に衝接の方向に逃げることができるので家具等を損傷させる恐れがない、という優れた効果を奏する。
【図面の簡単な説明】
【図１】  この発明の第１の実施例によるばね式戸当りの部品構成を展開して示す外観斜視図。
【図２】  この発明の第１の実施例によるばね式戸当りを立壁に取付けた状態の側面図。
【図３】  この発明の第１の実施例によるばね式戸当りに家具等が横方向から衝接したところを示す平面図。
【図４】  コイルばねに取付座を螺合させた状態における取付座の断面図。
【図５】  この発明の第２の実施例によるばね式戸当りのコイルばねの側面図。
【符号の発明】
２   立壁
３   扉
４   家具
１０  ばね式戸当り
２０  取付座
２２  ねじ軸
３０  コイルばね
３０ａ  円筒部
３０ｂ  たる形部
４０   緩衝体
４１  弾性体
４２  ねじ軸
【図１】
0003971021.tif 000002
【図２】
0003971021.tif 000003
【図３】
0003971021.tif 000004
【図４】
0003971021.tif 000005
【図５】
0003971021.tif 000006